(57)【要約】【課題】下枠に設けるカバー部材の変形を抑制し、障子の円滑な開閉を確保することができる建具を提供すること。【解決手段】屋外空間に位置する凹溝部３Ｅに設けられるカバー部材３Ｈが金属製であることから、日射等で加熱された際のカバー部材３Ｈの変形を抑制することができる。従って、カバー部材３Ｈの反りを防止することで、カバー部材３Ｈが障子６，７の開閉を阻害することがなく、障子６，７の開閉を円滑に実施することができる。そして、カバー部材３Ｈの長手方向両端部側が樹脂製の取付部材３Ｊによって下枠３に取り付けられることで、カバー部材３Ｈから下枠３への熱伝達が抑制でき、カバー部材３Ｈが加熱されたり冷却されたとしても、それによる下枠３への熱の影響を排除して断熱性能を確保することができる。【選択図】図３
2010150874.tif 000002
【特許請求の範囲】
【請求項１】
上枠、下枠、および左右の縦枠を有する窓枠と、この窓枠に支持される室内側および室外側の一対の障子とを備えた建具であって、
前記下枠は、前記室内側障子を案内する室内レール部と、前記室外側障子を案内する室外レール部と、これら室内外のレール部間にて当該下枠の長手方向に延びる凹溝部とを有して形成され、
閉じた状態の前記室内側障子の室外側に位置する前記凹溝部には、複数の樹脂製の取付部材を介して金属製のカバー部材が設けられている建具。
【請求項２】
閉じた状態の前記室外側障子の室内側に位置する前記凹溝部には、樹脂製の第２カバー部材が前記下枠に直接取り付けられている請求項１に記載の建具。
【請求項３】
前記取付部材は、その長手方向の長さが前記金属製のカバー部材の長手方向の長さよりも短く構成され、少なくとも前記カバー部材の長手方向両端部側に対応する２箇所にて前記下枠に取り付けられている請求項１または請求項２に記載の建具。
【請求項４】
前記下枠は、金属製の室内部材および室外部材と、これらの室内部材と室外部材とを連結する樹脂製の断熱部材とを有して形成され、前記室内部材に前記室内レール部が設けられ、前記室外部材に前記室外レール部が設けられ、
前記取付部材には、前記室内レール部の基端部に係合される第１被係合部と、前記室外レール部の基端部に係合される第２被係合部とが設けられ、
前記カバー部材の室内側端縁と前記室内レール部との間、および当該カバー部材の室外側端縁と前記室外レール部との間には、それぞれ隙間が設けられている請求項１から請求項３のいずれかに記載の建具。
【請求項５】
前記カバー部材は、上面部と、この上面部から下方に突出して前記取付部材に保持される被保持部とを有して形成され、
前記被保持部は、前記カバー部材の長手方向に沿って形成されており、当該被保持部のうちの前記取付部材に保持されない部分は前記凹溝部の底面と隙間を介して対向して設けられている請求項１から請求項４のいずれかに記載の建具。
【発明の詳細な説明】
【技術分野】
【０００１】
本発明は、引違い窓等の建具に関し、詳しくは、窓枠と、この窓枠に支持される室内外一対の障子とを備えた建具に関する。
【背景技術】
【０００２】
住宅等の引違い窓において、下枠には室内外の障子をそれぞれ案内する室内レールおよび室外レールが設けられ、これら室内外のレール間に樹脂製のカバー部材を取り付けた構造が提案されている（例えば、特許文献１、２参照）。
【０００３】
【特許文献１】特開２００１−２７１５５７号公報
【特許文献２】特許第３１９８０７３号公報
【発明の開示】
【発明が解決しようとする課題】
【０００４】
しかしながら、前記特許文献１、２に記載されたように、下枠における室内外のレール間に取り付けた樹脂製のカバー部材は、日射や気温変化などによって加熱されると変形しやすく、特に、夏季において日射の影響を受けやすい、屋外側のカバー部材の変形が懸念される。さらに、下枠の長手方向に沿った長尺部材であるカバー部材では、熱伸縮によって大きな曲げ変形（反り）が起きやすく、その両端部が浮き上がってしまうと、障子の開閉の障害となる可能性がある。
【０００５】
本発明の目的は、下枠に設けるカバー部材の変形を抑制し、障子の円滑な開閉を確保することができる建具を提供することにある。
【課題を解決するための手段】
【０００６】
本発明の建具は、上枠、下枠、および左右の縦枠を有する窓枠と、この窓枠に支持される室内側および室外側の一対の障子とを備えた建具であって、前記下枠は、前記室内側障子を案内する室内レール部と、前記室外側障子を案内する室外レール部と、これら室内外のレール部間にて当該下枠の長手方向に延びる凹溝部とを有して形成され、閉じた状態の前記室内側障子の室外側に位置する前記凹溝部には、複数の樹脂製の取付部材を介して金属製のカバー部材が設けられていることを特徴とする。
【０００７】
以上の本発明によれば、閉じた状態の室内側障子の室外側に位置する凹溝部、つまり屋外空間に位置する凹溝部において、当該凹溝部の底面を覆うカバー部材を金属製とすることで、日射等で加熱された際のカバー部材の変形を抑制することができる。従って、カバー部材の反りを防止することで、カバー部材が障子の開閉を阻害することがなく、障子の開閉を円滑に実施することができる。そして、このカバー部材を樹脂製の取付部材を介して下枠に取り付けることで、カバー部材から下枠への熱伝達が抑制でき、カバー部材が加熱されたり冷却されたとしても、それによる下枠への熱の影響を排除し、窓枠の断熱性能を確保することができる。
【０００８】
この際、本発明の建具では、閉じた状態の前記室外側障子の室内側に位置する前記凹溝部には、樹脂製の第２カバー部材が前記下枠に直接取り付けられていることが好ましい。
さらに、本発明の建具では、前記取付部材は、その長手方向の長さが前記金属製のカバー部材の長手方向の長さよりも短く構成され、少なくとも前記カバー部材の長手方向両端部側に対応する２箇所にて前記下枠に取り付けられていることが好ましい。
また、本発明の建具では、前記下枠は、金属製の室内部材および室外部材と、これらの室内部材と室外部材とを連結する樹脂製の断熱部材とを有して形成され、前記室内部材に前記室内レール部が設けられ、前記室外部材に前記室外レール部が設けられ、前記取付部材には、前記室内レール部の基端部に係合される第１被係合部と、前記室外レール部の基端部に係合される第２被係合部とが設けられ、前記カバー部材の室内側端縁と前記室内レール部との間、および当該カバー部材の室外側端縁と前記室外レール部との間には、それぞれ隙間が設けられていることが好ましい。
また、本発明の建具では、前記カバー部材は、上面部と、この上面部から下方に突出して前記取付部材に保持される被保持部とを有して形成され、前記被保持部は、前記カバー部材の長手方向に沿って形成されており、当該被保持部のうちの前記取付部材に保持されない部分は前記凹溝部の底面と隙間を介して対向して設けられていることが好ましい。
【発明を実施するための最良の形態】
【０００９】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１０】
〔第１実施形態〕
図１は、本発明の実施形態に係る建具である引違い窓１を示す縦断面図である。
引違い窓１は、戸建て住宅等の建物の外壁開口部に設けられて建物の室内空間と室外空間とを仕切るものであって、上枠２、下枠３、および左右の縦枠４を四周枠組みした窓枠５と、この窓枠５の内部に開閉自在に支持された室内外一組の障子６，７および網戸８とを備えて構成されている。室内外の障子６，７（室内側障子６および室外側障子７）は、それぞれの下框１２に設けられた戸車１４が下枠３のレール部３８，４８（後述）に案内されるとともに、縦框の上端に設けられた摺動片１５が上枠２の上レール２Ａ，２Ｂに案内されることで、左右に開閉可能に構成されている。
【００１１】
次に、引違い窓１における下枠３の構造を図２〜図４に基づいて詳しく説明する。ここで、図２は、下枠３を示す平面図であり、図３は、下枠３を拡大して示す縦断面図である。図４は、下枠３の要部を拡大して示す斜視図である。
下枠３は、それぞれアルミ押出形材製の室内部材３Ａおよび室外部材３Ｂと、これらを連結する樹脂製の断熱部材３Ｃとを備えて構成された断熱仕様の枠材である。また、詳しい説明を省略するが、上枠２および縦枠４も断熱仕様とされ、つまり引違い窓１における窓枠５は、断熱窓枠として構成されている。
【００１２】
室内部材３Ａは、室内側障子６の戸車１４を案内する室内レール部３８とを有して形成されている。また、室外部材３Ｂは、図示しない建物躯体に固定される固定片部４１と、この固定片部４１の上部に設けられて断熱部材３Ｃに係合する連結部４２と、連結部４２から室外側に延びるとともに下方に傾斜した傾斜上面部４３と、この傾斜上面部４３の室外側に連続して略水平に室外側に延びる水平上面部４４と、この水平上面部４４の室外側から下方に延びる室外側面部４５と、固定片部４１から室外側に延びて室外側面部４５と交差する底面部４６と、水平上面部４４の室外端近傍から上方に立ち上がる立上片部４７と、この立上片部４７の上端からさらに上方に延びて室外側障子７の戸車１４を案内する室外レール部４８と、立上片部４７の上端から室外側に延びて上方に折れ曲がり網戸８の戸車を案内する網戸レール部４９とを有して形成されている。
【００１３】
また、下枠３には、室内部材３Ａの室内レール部３８と、断熱部材３Ｃの上面と、室外部材３Ｂの傾斜上面部４３、水平上面部４４、立上片部４７および室外レール部４８とによって、上方に開口した凹溝部３Ｅが形成されている。この凹溝部３Ｅは、室内レール部３８と室外レール部４８との間において下枠３の長手方向に沿って延びて形成されている。そして、図２に示すように、下枠３の長手方向略中央であり室内外の障子６，７の召合せ部下方位置の凹溝部３Ｅには、樹脂製の風止板３Ｆが設けられている。この風止板３Ｆは、凹溝部３Ｅを左右に仕切るものであって、室内外の障子６，７を閉じた状態で、それらの召合せ框（内外の縦框）の下端部に当接することで、凹溝部３Ｅを介して室内側に外気や雨水が浸入するのを防止し、気密性や水密性が確保できるように構成されている。
【００１４】
以上のような下枠３の凹溝部３Ｅにおいて、風止板３Ｆの左右には、樹脂製のカバー部材（第２カバー部材）３Ｇ（図１参照）と、アルミ押出形材製（金属製）のカバー部材３Ｈ（図３参照）とがそれぞれ設けられ、カバー部材３Ｈは、その長手方向の両端部側にて樹脂製の取付部材３Ｊを介して下枠３に取り付けられている。すなわち、凹溝部３Ｅの底面である傾斜上面部４３および水平上面部４４は、カバー部材３Ｇ，３Ｈによって、その上方が覆われるようになっている。ここで、室内部材３Ａにおける室内レール部３８の基端部室外側には、室内側に凹んだ係合部３８Ａが形成され、室外部材３Ｂにおける立上片部４７と室外レール部４８との連続部分には、室外側に凹んだ係合部４８Ａが形成されている。また、下枠３の室外部材３Ｂにおける室外側面部４５、立上片部４７および室外レール部４８の室外側には、下枠３の長手方向に沿った適宜な複数位置に排水部品（排水弁）３Ｋが取り付けられており、立上片部４７に設けられた排水孔４７Ａを介して凹溝部３Ｅに入った雨水等を室外側に排出できるとともに、室外側から凹溝部３Ｅへの虫等の進入が防止できるようになっている。
【００１５】
樹脂製のカバー部材３Ｇは、図２中、風止板３Ｆの左側であり閉じた状態の室外側障子７の室内側に位置する凹溝部３Ｅに設けられている。このような樹脂製のカバー部材３Ｇを室内空間に位置する凹溝部３Ｅに設けたことで、下枠３の断熱性能を確保するとともに、冬季におけるカバー部材３Ｇ表面の結露を防止することができる。
【００１６】
一方、金属製のカバー部材３Ｈは、図２中、風止板３Ｆの右側であり閉じた状態の室内側障子６の室外側に位置する凹溝部３Ｅに設けられており、すなわち、カバー部材３Ｈは、室内側障子６を閉じた状態で室外空間に位置して設けられるようになっている。このカバー部材３Ｈは、図３に示すように、凹溝部３Ｅの底面を覆う長尺板状の上面部６１と、この上面部６１から下方に突出して取付部材３Ｊに保持される室内外一対の被保持部６２，６３とを有して形成されている。上面部６１は、室内側から室外側に向かって下がり勾配を有して設けられ、その室外側端縁が下方に曲げ下げられており、上面部６１に降った雨水等が室外部材３Ｂの水平上面部４４に落下するように構成されている。
【００１７】
また、室内側の被保持部６２は、その下端部が室内側に折り曲げられて略Ｌ字形に形成されるとともに、その下端面は、室外部材３Ｂの傾斜上面部４３に対して上方に所定距離だけ離れて設けられている。さらに、室外側の被保持部６３は、その下端部が室外側に折り曲げられて略Ｌ字形に形成されるとともに、その下端面も傾斜上面部４３に対して上方に所定距離だけ離れて設けられている。従って、カバー部材３Ｈの長手方向中間部において上面部６１に荷重が作用してカバー部材３Ｈが下方に撓んだとしても、一対の被保持部６２，６３の少なくとも一方が傾斜上面部４３に当接することで、カバー部材３Ｈの変形が抑制されるとともに、荷重が作用しなくなれば、カバー部材３Ｈがその弾性によって初期の状態（図３に示す状態）に戻るようになっている。
【００１８】
次に、取付部材３Ｊは、図４にも示すように、その長手方向の長さがカバー部材３Ｈの長手方向の長さよりも短いピース状の部材であって、見込み方向中間部に設けられてカバー部材３Ｈの上面部６１の下面に対向する第１上面部７１と、この第１上面部７１の室内側に沿って下方に凹んだ第１溝部７２と、この第１溝部７２の室内側にて第１上面部７１と略フラットに設けられる第２上面部７３と、この第２上面部７３の室内側から下方に延びるとともに室内側に屈曲した第１被係合部７４とを有して形成されている。さらに、取付部材３Ｊは、第１上面部７１の室外側に沿って下方に凹んだ第２溝部７５と、この第２溝部７５の室外側側面を構成する突片部７６と、この突片部７６の下部から室外側上方に延びる第２係合片部７７とを有して形成され、第１溝部７２の上部室内側には、第２上面部７３の室外側に連続する第１保持部７８が形成され、第２溝部７５の上部室外側には、突片部７６の上端部から室内側に突出した第２保持部７９が形成されている。
【００１９】
以上の取付部材３Ｊは、第１被係合部７４が下枠３の係合部３８Ａに係合され、第２係合片部７７が下枠３の係合部４８Ａに係合されることで下枠３に取り付けられており、この取付状態において、第２係合片部７７が若干撓みながら押圧状態で係合部４８Ａに係合されることで、取付部材３Ｊががたつくことなく下枠３に取り付けられるようになっている。そして、この取付状態において、第１溝部７２の下面７２Ａおよび室外側側面の下端部７２Ｂと、第２溝部７５の下面７５Ａとが室外部材３Ｂの傾斜上面部４３に当接し、さらに突片部７６および第２係合片部７７の基端部７７Ａが水平上面部４４に当接するようになっている。
【００２０】
カバー部材３Ｈは、図３に示すように、室内側の被保持部６２を第１溝部７２に挿入して先端を第１保持部７８に係合させるとともに、室外側の被保持部６３を第２溝部７５に挿入して先端を第２保持部７９に係合させることで、取付部材３Ｊに保持されるようになっている。また、上面部６１の室外側端縁を押して上面部６１を上方凸に撓ませ、室外側の被保持部６３を第２保持部７９から外してから、室内側の被保持部６２を第１保持部７８から外すことで、カバー部材３Ｈが取付部材３Ｊから取り外せるようになっている。また、カバー部材３Ｈを取り付けた状態において、その上面部６１の室内側端縁と室内レール部３８とは所定距離だけ離れ、それらの間に隙間が形成され、上面部６１の室外側端縁と室外レール部４８とは所定距離だけ離れ、それらの間に隙間が形成されるようになっている。従って、カバー部材３Ｈが夏季の日射で加熱されたり、冬季に冷却されたりしても、その熱が下枠３に伝達されず、下枠３の断熱性能が阻害されないようになっている。
【００２１】
以上の実施形態によれば、屋外空間に位置する凹溝部３Ｅに設けられるカバー部材３Ｈが金属製であることから、日射等で加熱された際のカバー部材３Ｈの変形を抑制することができる。従って、カバー部材３Ｈの反りを防止することで、カバー部材３Ｈが障子６，７の開閉を阻害することがなく、障子６，７の開閉を円滑に実施することができる。そして、カバー部材３Ｈの長手方向両端部側が樹脂製の取付部材３Ｊによって下枠３に取り付けられることで、カバー部材３Ｈから下枠３への熱伝達が抑制でき、カバー部材３Ｈが加熱されたり冷却されたとしても、それによる下枠３への熱の影響を排除して断熱性能を確保することができる。
【００２２】
〔第２実施形態〕
次に、図５、図６に基づいて本発明の第２実施形態を説明する。
図５は、第２実施形態の下枠３を拡大して示す縦断面図である。図６は、下枠３の要部を拡大して示す斜視図である。
本実施形態では、カバー部材３Ｈを支持する取付部材の形態が前記第１実施形態と相違するものの、窓枠５や障子６，７の構成は、前記第１実施形態と略同様である。以下、相違点を詳しく説明する。
【００２３】
取付部材３Ｌは、前記取付部材３Ｊと同様にピース状の部材であって、前記取付部材３Ｊと同様の第１上面部７１、第１溝部７２、第２上面部７３、第１被係合部７４、第２溝部７５、突片部７６、第１保持部７８および第２保持部７９を有するとともに、前記第２係合片部７７に代えて略三角筒状の排水部８０を有して形成されている。この排水部８０は、突片部７６の基端部から室外側上方に傾斜した排水傾斜面部８１と、略三角筒状の左右両端部に設けられる排水側面部８２とを有して形成され、前記室外部材３Ｂの立上片部４７に当接するとともに排水孔４７Ａの室内側を覆う位置に設けられている。そして、排水傾斜面部８１および排水側面部８２には、それぞれ複数のスリット状の排水孔８３，８４が形成されている。このような取付部材３Ｌを下枠３に取り付けるとともに、取付部材３Ｌでカバー部材３Ｈを保持することで、前記第１実施形態と同様の効果を得ることができる。さらに、第２実施形態の取付部材３Ｌを用いることで、凹溝部３Ｅ内の雨水等を排水部８０から排水孔４７Ａを介して室外に排出できるとともに、スリット状の排水孔８３，８４によって室外側から凹溝部３Ｅへの虫等の進入が防止できるようになっている。
【００２４】
なお、本発明は、前記実施形態に限定されるものではなく、本発明の目的が達成できる以下の構成を備えていればよい。
（１）本発明の建具は、上枠、下枠、および左右の縦枠を有する窓枠と、この窓枠に支持される室内側および室外側の一対の障子とを備えた建具であって、前記下枠は、前記室内側障子を案内する室内レール部と、前記室外側障子を案内する室外レール部と、これら室内外のレール部間にて当該下枠の長手方向に延びる凹溝部とを有して形成され、閉じた状態の前記室内側障子の室外側に位置する前記凹溝部には、複数の樹脂製の取付部材を介して金属製のカバー部材が設けられていればよい。
【００２５】
以上の本発明によれば、閉じた状態の室内側障子の室外側に位置する凹溝部において、当該凹溝部の底面を覆うカバー部材を金属製とすることで、日射等で加熱された際のカバー部材の変形を抑制することができる。従って、カバー部材の反りを防止することで、カバー部材が障子の開閉を阻害することがなく、障子の開閉を円滑に実施することができる。そして、このカバー部材を樹脂製の取付部材を介して下枠に取り付けることで、カバー部材から下枠への熱伝達が抑制でき、カバー部材が加熱されたり冷却されたとしても、それによる下枠への熱の影響を排除し、窓枠の断熱性能を確保することができる。
【００２６】
（２）本発明の建具では、閉じた状態の前記室外側障子の室内側に位置する前記凹溝部には、樹脂製の第２カバー部材が前記下枠に直接取り付けられていることが好ましい。
このような構成によれば、閉じた状態の室外側障子の室内側に位置する凹溝部において、当該凹溝部の底面を覆うカバー部材を樹脂製として下枠に取り付けることで、屋内空間に露出するカバー部材による断熱性能を確保し、冬季における結露を防止することができる。ここで、屋内空間に位置するカバー部材であれば、夏季における日射の影響を受けにくいことから、カバー部材の変形によって障子の開閉の障害となる可能性は低く、樹脂製のカバー部材による断熱性向上の利点が大きい。
【００２７】
（３）本発明の建具では、前記取付部材は、その長手方向の長さが前記金属製のカバー部材の長手方向の長さよりも短く構成され、少なくとも前記カバー部材の長手方向両端部側に対応する２箇所にて前記下枠に取り付けられていることが好ましい。
このような構成によれば、その長手方向の長さが金属製のカバー部材の長手方向の長さよりも短いピース状の部材とすることで、取付部材の熱伸縮によるカバー部材の変形への影響を抑制することができる。すなわち、取付部材がカバー部材と同程度の長さを有する部材であれば、カバー部材を介して加熱されることで、取付部材に反りが生じやすくなるものの、取付部材がピース部材であれば、個々の取付部材の反りは無視できる程度に収まることから、カバー部材の変形をより確実に抑制することができる。
【００２８】
（４）本発明の建具では、前記下枠は、金属製の室内部材および室外部材と、これらの室内部材と室外部材とを連結する樹脂製の断熱部材とを有して形成され、前記室内部材に前記室内レール部が設けられ、前記室外部材に前記室外レール部が設けられ、前記取付部材には、前記室内レール部の基端部に係合される第１被係合部と、前記室外レール部の基端部に係合される第２被係合部とが設けられ、前記カバー部材の室内側端縁と前記室内レール部との間、および当該カバー部材の室外側端縁と前記室外レール部との間には、それぞれ隙間が設けられていることが好ましい。
このような構成によれば、室内部材、室外部材および断熱部材から下枠を構成して断熱仕様とするとともに、室内部材における室内レール部の基端部に第１被係合部を係合して取付部材を取り付けた場合に、この取付部材が樹脂製であることから、室内部材への熱伝達を抑制して断熱性能を確保することができる。さらに、カバー部材の室内側端縁と室内レール部との間に隙間を設けたことで、金属製のカバー部材が加熱あるいは冷却された場合でも、その熱が室内部材へ伝達されず、下枠の断熱性能を阻害しないようにできる。また、カバー部材の室外側端縁と室外レール部との間に隙間を設けたことで、カバー部材の上面に雨等が降ったとしても、その雨水を隙間から凹溝部に導き、適宜な排水孔から室外空間に排水することができる。
【００２９】
（５）本発明の建具では、前記カバー部材は、上面部と、この上面部から下方に突出して前記取付部材に保持される被保持部とを有して形成され、前記被保持部は、前記カバー部材の長手方向に沿って形成されており、当該被保持部のうちの前記取付部材に保持されない部分は前記凹溝部の底面と隙間を介して対向して設けられていることが好ましい。
このような構成によれば、カバー部材の被保持部と凹溝部の底面とが隙間を介して対向しているので、カバー部材の熱が下枠に伝達されるのを防止して、下枠の断熱性能を確保することができる。さらに、被保持部と凹溝部の底面との間隔として、カバー部材の上面部に荷重が作用してカバー部材が撓んだ場合に凹溝部の底面に被保持部が当接する程度の隙間寸法に設定しておけば、作用した荷重を下枠に伝達して支持することができ、カバー部材の過度な変形を防止することができる。
【００３０】
また、以下に示すような変形等も本発明に含まれる。
例えば、前記実施形態においては、室内外一対の障子６，７を有する引違い窓１を例示して説明したが、本発明の建具は、室内外の障子６，７のうちのいずれか一方を窓枠５に移動不能に固定した片引き窓であってもよい。
また、前記実施形態では、閉じた状態の室外側障子７に沿った凹溝部３Ｅに設けるカバー部材３Ｇを樹脂製とし、このカバー部材３Ｇを直接下枠３に取り付ける構成としたが、カバー部材３Ｈと同様の取付部材３Ｊ，３Ｌを用いて下枠３に取り付けてもよいし、カバー部材３Ｈと同様に金属製としてもよい。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の実施形態に係る建具を示す縦断面図である。
【図２】前記建具の第１実施形態に係る下枠を示す平面図である。
【図３】前記下枠を拡大して示す縦断面図である。
【図４】前記下枠の要部を拡大して示す斜視図である。
【図５】前記建具の第２実施形態に係る下枠を拡大して示す縦断面図である。
【図６】前記下枠の要部を拡大して示す斜視図である。
【符号の説明】
【００３３】
２…上枠、３…下枠、３Ａ…室内部材、３Ｂ…室外部材、３Ｃ…断熱部材、３Ｅ…凹溝部、３Ｇ…カバー部材（第２カバー部材）、３Ｈ…カバー部材、３Ｊ，３Ｌ…取付部材、４…縦枠、５…窓枠、６…室内側障子、７…室外側障子、３８…室内レール部、４８…室外レール部、６１…上面部、６２，６３…被保持部、７４…第１被係合部、７７…第２係合片部。
【図１】
2010150874.tif 000003
【図２】
2010150874.tif 000004
【図３】
2010150874.tif 000005
【図４】
2010150874.tif 000006
【図５】
2010150874.tif 000007
【図６】
2010150874.tif 000008